(57)【要約】      （修正有）【課題】支持するディスプレイの俯仰角度を調整することが出来るディスプレイ支持装置を提供する。【解決手段】台座１１と、該台座に立設されている支持柱１２と、該支持柱に沿って上下摺動可能、かつ前記支持柱に一時固定できるように配置構成されている摺動座２１と、該摺動座に取り付けられていると共に、ディスプレイを保持できる保持プレートを有するように構成されている可動座２２とを備えているディスプレイ支持装置であって、可動座２２は、前記保持プレートの前記摺動座に対する傾斜角度が調整可能なように摺動座２１に取付けられていることを特徴とする。【選択図】図１
0003167737.tif 000002
【実用新案登録請求の範囲】
【請求項１】
台座と、
前記台座に立設されている支持柱と、
前記支持柱に沿って上下摺動可能であり、且つ前記支持柱に一時固定できるように配置構成されている摺動座と、
前記摺動座に取り付けられていると共に、ディスプレイを保持できる保持プレートを有するように構成されている可動座と、を備えているディスプレイ支持装置であって、
前記可動座は、前記保持プレートの前記摺動座に対する傾斜角度が調整可能なように前記摺動座に取付けられていることを特徴とするディスプレイ支持装置。
【請求項２】
前記摺動座には、それぞれ所定の弧線に沿って延伸している第１のレール手段と第２のレール手段が固定されており、
前記可動座には、角度調整手段が固定されており、
該角度調整手段は、前記第１のレール手段及び前記第２のレール手段に沿って同時に移動しながら前記可動座と共に回動することができると共に、一時的に固定することも可能なように取付けられていることを特徴とする請求項１に記載のディスプレイ支持装置。
【請求項３】
前記所定の弧線は、同一の円弧線上にあると共に上下に互いに対称的な一対になっており、前記第１のレール手段及び前記第２のレール手段は、すべて前記摺動座から前記可動座へ突出するように設けられていると共に、それらの側面に互いに対となる開口がそれぞれに対応する前記所定の弧線に沿って延伸するように形成されており、
前記角度調整手段は、更に、一対の係止ボルトを有し、
該一対の係止ボルトは、それぞれ前記第１のレール手段及び前記第２のレール手段が有している前記一対の開口に嵌め込まれている上、それらに沿って移動できるように構成されており、
それにより、前記保持プレートの前記摺動座に対する傾き角度が調整可能になることを特徴とする請求項２に記載のディスプレイ支持装置。
【請求項４】
前記角度調整手段の前記回動は、前記第１のレール手段及び前記第２のレール手段の前記一対の開口で前記一対の係止ボルトを挟むことによって生ずる抵抗により一時的に固定することができるように構成されていることを特徴とする請求項３に記載のディスプレイ支持装置。
【請求項５】
前記可動座は、第１及び第２の保持プレートを有していることを特徴とする請求項４に記載のディスプレイ支持装置。
【請求項６】
前記可動座は、可動座本体と、前記可動座本体に前後回動可能に枢接されていると共に左右方向にそれぞれ延伸している一対の延伸アームとを有しており、
前記第１及び第２の保持プレートは、それぞれ前記延伸アームの一本に左右方向に沿って摺動可能に取り付けられていることを特徴とする請求項５に記載のディスプレイ支持装置。
【請求項７】
前記第１と第２の保持プレートの間に、更に、第３の保持プレートが、前記可動座本体に取り付けられていることを特徴とする請求項６に記載のディスプレイ支持装置。
【請求項８】
前記第1、第２の保持プレートは、前記延伸アームに回転可能に取り付けられていることを特徴とする請求項６に記載のディスプレイ支持装置。
【考案の詳細な説明】
【技術分野】
【０００１】
本考案はディスプレイ支持装置に関し、特に、支持するディスプレイの俯仰角度（ディスプレイの傾斜角度）を調整することができるディスプレイ支持装置に関する。
【背景技術】
【０００２】
従来のディスプレイ支持装置として、例えば特許文献１により開示されたものがある。図１４に示されているように、該従来のディスプレイ支持装置は、台座７１と、台座７１に立設されている支持柱７２と、支持柱７２に沿って上下摺動可能、且つ支持柱７２に一時固定できるように配置構成されている２本の延伸アーム７３と、２本の延伸アーム７３にそれぞれ摺動可能に取り付けられている一対のディスプレイ支持座７４とを有している。
【０００３】
このようなディスプレイ支持装置は、２本の延伸アーム７３に取り付けられている一対のディスプレイ支持座７４で左右１つずつのフラットパネルディスプレイを支持することができると共に、この２本の延伸アーム７３により支持されているフラットパネルディスプレイの高さをそれぞれ単独に調整したり、横置きから縦置きに切り替えたりすることができる。
【先行技術文献】
【特許文献】
【０００４】
【特許文献１】台湾実用新案第Ｍ３３６６５４号明細書
【考案の概要】
【考案が解決しようとする課題】
【０００５】
しかし、上記ディスプレイ支持装置は、支持するディスプレイの俯仰角度を調整することが出来ない欠点を持っている。
【０００６】
従って、本考案は、支持するディスプレイの俯仰角度を調整することが出来るディスプレイ支持装置の提供を目的とする。
【課題を解決するための手段】
【０００７】
上記目的を達成すべく、本考案は台座と、前記台座に立設されている支持柱と、前記支持柱に沿って上下摺動可能であり、且つ支持柱に一時固定できるように配置構成されている摺動座と、前記摺動座に取り付けられていると共に、ディスプレイを保持できる保持プレートを有するように構成されている可動座と、を備えているディスプレイ支持装置であって、前記可動座は、前記保持プレートの前記摺動座に対する傾き角度が調整可能なように摺動座に取付けられていることを特徴とするディスプレイ支持装置を提供する。
【０００８】
上記ディスプレイ支持装置において、前記摺動座には、それぞれ所定の弧線に沿って延伸している第１のレール手段と第２のレール手段が固定されており、前記可動座には、角度調整手段が固定されており、該角度調整手段は、前記第１のレール手段及び前記第２のレール手段に沿って同時に移動しながら前記可動座とともに回動させることができると共に、一時的に固定することも可能なように取付けられていることが好ましい。
【０００９】
上記ディスプレイ支持装置において、前記所定の弧線は、同一の円弧線上にあると共に上下互いに対称的な一対になっており、前記第１のレール手段及び前記第２のレール手段は、すべて前記摺動座から前記可動座へ突出するように設けられていると共に、それらの側面に互いに対となる開口がそれぞれに対応する前記所定の弧線に沿って延伸するように形成されており、前記角度調整手段は、更に、一対の係止ボルトを有し、該一対の係止ボルトは、それぞれ前記第１のレール手段及び前記第２のレール手段が有している前記一対の開口に嵌め込まれている上、それらに沿って移動できるように構成されていることが好ましい。
【００１０】
上記ディスプレイ支持装置において、前記角度調整手段の前記回動は、前記第１のレール手段及び前記第２のレール手段の前記一対の開口で前記一対の係止ボルトを挟むことによって生ずる抵抗により一時的に固定することができるように構成されていることが好ましい。
【００１１】
上記ディスプレイ支持装置において、前記可動座は２つの保持プレートを有するように構成されることができる。
【００１２】
上記２つの保持プレートを有するディスプレイ支持装置において、前記可動座は、可動座本体と、前記可動座本体に前後回動可能に枢接されていると共に左右方向にそれぞれ延伸している一対の延伸アームとを有しており、前記第１及び第２の保持プレートは、それぞれ前記延伸アームの一本に左右方向に沿って摺動可能に取り付けられていることが好ましい。
【００１３】
また、前記第１と第２の保持プレートの間に、更に、前記可動座本体に取り付けられている第３の保持プレートを有することができる。
【００１４】
上記ディスプレイ支持装置において、前記保持プレートは、前記延伸アームに回転可能に取り付けられることが好ましい。
【考案の効果】
【００１５】
上記構成により、本考案のディスプレイ支持装置は、保持プレートの摺動座に対する傾斜角度を、可動座の摺動座に対する取付け状態で調整できるようになっているので、支持するディスプレイの俯仰角度を調整することができるディスプレイ支持装置を提供することができる。
【図面の簡単な説明】
【００１６】
【図１】本考案のディスプレイ支持装置の第１の実施形態の正面斜視図である。
【図２】本考案のディスプレイ支持装置の第１の実施形態の背面斜視図である。
【図３】本考案のディスプレイ支持装置の第１の実施形態の背面から見た一部分解図である。
【図４】本考案のディスプレイ支持装置の第１の実施形態の正面から見た一部分解図である。
【図５】本考案のディスプレイ支持装置の第１の実施形態の操作を示す側面図である。
【図６】本考案のディスプレイ支持装置の第１の実施形態の操作を示す側面図である。
【図７】本考案のディスプレイ支持装置の第１の実施形態の操作を示す正面図である。
【図８】本考案のディスプレイ支持装置の第１の実施形態の操作を示す上面図である。
【図９】本考案のディスプレイ支持装置の第１の実施形態の操作を示す上上面図である。
【図１０】本考案のディスプレイ支持装置の第１の実施形態の操作を示す正上面図である。
【図１１】本考案の第２の実施形態の正面図である。
【図１２】本考案の第３の実施形態の正面斜視図である
【図１３】本考案の第３の実施形態の背面斜視図である。
【図１４】従来のディスプレイ支持装置の構成例を示す斜視図である。
【考案を実施するための形態】
【００１７】
以下は各図面を参照しながら、本考案のディスプレイ支持装置について説明する。
【００１８】
図１〜図１０には本考案のディスプレイ支持装置の第１の実施形態が示されており、そのうち、図１はその正面斜視図であり、図２はその背面斜視図であり、図３は背面から見た一部分解図であり、図４は正面から見た一部分解図であり、図５、図６はその操作を示す側面図であり、図７はその操作を示す正面図であり、図８，図９はその操作を示す上面図であり、図１０はその操作を示す正面図である。
【００１９】
図１、図２に示されているように、本考案のディスプレイ支持装置の第１の実施形態は、台座１１と、台座１１に立設されている支持柱１２と、支持柱１２に沿って上下摺動可能、且つ操作レバー２１５の操作により支持柱１２に一時固定できるように配置構成されている摺動座２１と、摺動座２１に取り付けられていると共に、摺動座２１に対する傾斜角度が調整可能に構成されている可動座２２とを備えている。
【００２０】
可動座２２は、回動可能に枢接されていると共に、左右方向にそれぞれ延伸している一対の延伸アーム３と、一対の延伸アーム３にそれぞれ設けられる摺動溝３１に沿って左右摺動可能且つ回転可能に取り付けられている第１と第２の保持プレート４１、４２とを有している。この第１と第２の保持プレート４１、４２でフラットパネルディスプレイを左右１つずつ保持することができる。
【００２１】
また、図３、図４に示されているように、摺動座２１には、同一の円弧線上にあると共に上下互いに対称的に延伸している第１のレール手段２１１と第２のレール手段２１２が固定されており、第１のレール手段２１２と第２のレール手段２１２はそれぞれ、摺動座２１から可動座２２へ突出するように設けられていると共に、それらの側面に互いに対となる開口２１１１、２１２１がそれぞれに対応する前記所定の弧線に沿って延伸するように形成されている。
【００２２】
可動座２２には、角度調整手段２２２が固定されており、該角度調整手段２２２は、一対の係止ボルト２２３を更に有し、該一対の係止ボルト２２３はそれぞれ第１のレール手段２１１及び前記第２のレール手段２１２が有している前記一対の開口２１１１、２１２１に同時に嵌め込まれている上、それらに沿って同時に移動できるように構成されている。
【００２３】
この構成により、本考案のディスプレイ支持装置は図５、図６の側面図に示されているように、一対の係止ボルト２２３がそれぞれ第１のレール手段２１１及び前記第２のレール手段２１２が有している開口２１１１、２１２１に沿って同時に移動すると共に、可動座２２と共に回動して第１と第２の保持プレート４１、４２の摺動座２１に対する傾斜角度を調整することができる。図５に示されている状態から図中の矢印方向で可動座２２を動かせば図６に示されている状態となり、そして図６に示されている状態から図中の矢印方向で可動座２２を動かせば図５に示されている状態にすることができる。
【００２４】
また、角度調整手段２２２並びに可動座２２の回動は、第１のレール手段２１１及び第２のレール手段２１２の前記一対の開口２１１１、２１２１で一対の係止ボルト２２３を挟むことによって生ずる抵抗により一時的に固定することができる。
【００２５】
図７に示されているように、摺動座２１は支持柱１２に沿って上下摺動可能、且つ支持柱１２に一時固定できるように配置構成されているので、その上下摺動により、保持しているフラットパネルディスプレイの高さを調整することができる。ちなみに、本実施形態において、摺動座２１の一時固定は、摺動座２１の一部を支持柱１２に締め付けることによって実現されている。
【００２６】
図８、図９に示されているように、一対の延伸アーム３は可動座２２に前後回動可能に枢接されているので、延伸アーム３の回動で保持しているフラットパネルディスプレイの前後位置を調整することができる。
【００２７】
図１０に示されているように、第１と第２の保持プレート４１、４２は一対の延伸アーム３にそれぞれ左右摺動可能に取り付けられているので、その左右摺動により保持しているフラットパネルディスプレイの左右位置を調整することができる。
【００２８】
図１１では本考案の第２の実施形態の正面図が示されている。
【００２９】
図示されているように、この第２の実施形態は第１の実施形態とほぼ同じ構成を有しており、以下はその相違点について詳しく説明する。
【００３０】
この実施形態において、可動座２２の本体２２１は第１の実施形態より左右方向に長く形成されており、一対の延伸アーム３はそれぞれ本体２２１の左右端部に枢接されている。更に、この実施形態では第１と第２の保持プレート４１、４２の間にある第３の保持プレート４３が本体２２１に取り付けられている。
【００３１】
この構成は３つのフラットパネルディスプレイを保持できるディスプレイ支持装置を提供することができる。
【００３２】
図１２、図１３では本考案の第３の実施形態の正面斜視図及び背面斜視図が示されており、図示されているように、この第３の実施形態も第１の実施形態とほぼ同じ構成を有しており、以下はその相違点について詳しく説明する。
【００３３】
この実施形態において、可動座２２の本体２２５は第１の実施形態より大きく形成されていると共に、フラットパネルディスプレイを保持できる大型保持プレート７と一体的に形成されており、延伸アームを有していない。
【００３４】
この構成では、１つのフラットパネルディスプレイしか保持出来ないものの、より重い大型のフラットパネルディスプレイを保持することができる。
【産業上の利用可能性】
【００３５】
上記構成により、本考案のディスプレイ支持装置は、保持プレートの摺動座に対する傾斜角度を、可動座の摺動座に対する取付け状態で調整できるようになっているので、支持するディスプレイの俯仰角度を調整することができるディスプレイ支持装置を提供することができる。
【符号の説明】
【００３６】
１１  台座
１２  支持柱
２１  摺動座
２１１  第１のレール手段
２１１１、２１２１  開口
２１２  第２のレール手段
２１５  操作レバー
２２  可動座
２２２  角度調整手段
２２３  係止ボルト
２２１  本体
２２５  本体
３  延伸アーム
３１  摺動溝
４１  第１の保持プレート
４２  第２の保持プレート
４３  第３の保持プレート
７  大型保持プレート
【図１】
0003167737.tif 000003
【図２】
0003167737.tif 000004
【図３】
0003167737.tif 000005
【図４】
0003167737.tif 000006
【図５】
0003167737.tif 000007
【図６】
0003167737.tif 000008
【図７】
0003167737.tif 000009
【図８】
0003167737.tif 000010
【図９】
0003167737.tif 000011
【図１０】
0003167737.tif 000012
【図１１】
0003167737.tif 000013
【図１２】
0003167737.tif 000014
【図１３】
0003167737.tif 000015
【図１４】
0003167737.tif 000016